(57)【要約】【課題】  太陽光発電は夜間は発電できない。また、全ての物質の究極は元素であり、元素の原子核はプラススピンしておりプラス磁気を持つ。マイナスイオン発生器は、マイナス磁気ではなく、マイナス電荷であるため元素の酸化作用の還元には対応できない。【解決手段】  宇宙や太陽系、地球にも磁力線は循環し、磁力線からの磁気電子は宇宙、空中、地上、地中、水中と何処ででも２４時間利用できる。この電子を電子アンテナで集電し、絶縁性ボビンに導電線を進行方向左巻でプラス電磁気が発生し、進行方向右巻でマイナス電磁気が発生する、得られた電流をバッテリーに蓄電し利用できる。また、発生のマイナス磁気電子は、物質元素の原子核周囲のマイナス磁気電子不足で陽イオン化した酸化電位の高い元素に供給し、電気的中性や陰イオン化させ、全ての物質を元素レベルから還元し安定化させる。【選択図】図８
2010088281.tif 000002
【特許請求の範囲】
【請求項１】
絶縁性ボビンに導電線を右巻に配置したコイルからなる複数のマイナス棒磁石を前記ボビンの軸方向に一列に配置したものをマイナス棒磁石リニアアレイ、絶縁性ボビンに導電線を左巻に配置したコイルからなる複数のプラス棒磁石を前記ボビンの軸方向に一列に配置したものをプラス棒磁石リニアアレイとし、
前記マイナス棒磁石リニアアレイを構成するボビンの軸を連ねたものを前記マイナス棒磁石リニアアレイの軸、前記プラス棒磁石リニアアレイを構成するボビンの軸を連ねたものを前記プラス棒磁石リニアアレイの軸とし、
板面にほぼ垂直に突出させた導電性の電子アンテナを一列に配置し、各電子アンテナを導電性の材料で前記板面に添って接続したものを電子アンテナリニアアレイとし、
パネル上に、前記マイナス棒磁石リニアアレイと前記プラス棒磁石リニアアレイとを、それぞれの軸を平行にして交互に配置して、二次元棒磁石アレイを構成し、
さらに、前記パネル上に、前記二次元棒磁石アレイを挟んで、前記二次元棒磁石アレイを構成する前記マイナス棒磁石リニアアレイ及び前記プラス棒磁石リニアアレイの軸と直交する方向に軸を有する２本の前記マイナス棒磁石リニアアレイをそれぞれ発電用棒磁石として配置し、
各マイナス棒磁石リニアアレイに添って、各電子アンテナの位置が各マイナス棒磁石の位置に対応するようにして、少なくとも１本以上のマイナス用電子アンテナリニアアレイを配置し、
各プラス棒磁石リニアアレイに添って、各電子アンテナの位置が各プラス棒磁石の位置に対応するようにして、少なくとも１本以上のプラス用電子アンテナリニアアレイを配置し、
各マイナス棒磁石リニアアレイを構成する各マイナス棒磁石のコイルの一方をマイナス用電子アンテナリニアアレイに、他方を端子ケーブルを通じバッテリーに及びアースに接続し、
各プラス棒磁石リニアアレイを構成する各プラス棒磁石のコイルの一方を電子アンテナリニアアレイに、他方を端子ケーブルに接続しバッテリーに蓄電される。
前記発電用棒磁石から磁気電子を発生させることを特徴とする磁気電子発生装置。
【請求項２】
前記マイナス棒磁石リニアアレイを構成する各前記棒磁石のコイルは、絶縁性ボビンの内側または外側に導電線を右巻に配置し、前記プラス棒磁石リニアアレイを構成する各前記棒磁石のコイルは、絶縁性ボビンの内側または外側に導電線を左巻に配置した事を特徴とする請求項１に記載の磁気電子発生装置。
【請求項３】
前記電子アンテナリニアアレイの前記板面が前記導電性の材料で形成されていることを特徴とする請求項１又は請求項２に記載の磁気電子発生装置。
【請求項４】
前記電子アンテナリニアアレイの前記板面が絶縁性の材料で形成され、各電子アンテナを前記板面に添って接続した導電線が前記導電性の材料からなることを特徴とする請求項１又は請求項２に記載の磁気電子発生装置。
【請求項５】
各前記マイナス棒磁石リニアアレイに添って配置される前記マイナス電子アンテナリニアアレイを２本、各前記プラス棒磁石リニアアレイに添って配置される前記プラス電子アンテナリニアアレイを２本とすることを特徴とする請求項１ないし請求項４のいずれか１項に記載の磁気電子発生装置。
【請求項６】
絶縁性ボビンに導電線を右巻又は左巻に配置したコイルからなる棒磁石と、板面にほぼ垂直に突出させた導電性の電子アンテナを備え、前記コイルの一方を前記電子アンテナに接続し、他方を端子ケーブルに、又はアース線に接続したことを特徴とする磁気電子発生装置。
【請求項７】
磁力線の電子アンテナ単独やモール状、ユニット状、パネル状アンテナアレイは内部導電箔や線で連結し出入端子口で構成されたアンテナアレイの磁気電子発生装置。
【請求項８】
複数の導電箔や導電線、又は、導電粉の静電蒸着印刷や光配線フイルム等で、３本線以上の並列単層や複数層の配線を一口にまとめ端子出入り口を一口にまとめたコネクターやシート状に構成された配線ユニットの磁気電子発生装置。
【請求項９】
導電線巻き付け材の円筒中空芯内側に導電粉を静電蒸着印刷や導電テープを付着した芯材の絶縁性ボビンの磁気電子発生装置。
【請求項１０】
導電箔や導電線、導電粉の静電蒸着印刷線、又は、光配線フイルム等を右巻や左巻したボビンを多数連結して構成された磁気電子発生装置。
【請求項１１】
複数の導電箔や導電線、又は、導電粉の静電蒸着印刷や光配線フイルム等で、３本線以上の並列単層や複数層配線を、進行方向に右巻に巻付けたマイナス棒磁石の外側に電子アンテナモールを複数ながて方向に添わせた一体型の磁気電子発生装置。
【発明の詳細な説明】
【技術分野】
【０００１】    本発明は、磁気電子発生装置に関する。宇宙の磁力線エネルギーから発生する電子についてプラスのスピンを有するものをプラス磁気電子、マイナスのスピンを有するものをマイナス磁気電子という。磁気電子発生装置とは、電子アンテナを用いてこれら磁気電子を集め、周囲の所定の方向に発生する装置である。所定の方向は実験で検証した。磁力線電子は宇宙空間、太陽、地球に発生し磁力線のある所にエネルギーは存在する。地球では磁針が北を指す様に北極から南極にエネルギーが地中、水中を流れ、南極から北極には空中を戻り循環する。磁力線エネルギーは波動のリズムを持つ、波動とはエネルギーの伝わり方である。これら電子は大気電気や地電流として昼夜にわたり存在するが利用されていない。これら磁力線電子を微細な電子アンテナで導入しプラス・マイナス電流に変換利用する発電装置、マイナス磁気電子に変換の磁気電子発生装置に関する。詳しくは導線を右巻や左巻に巻いた電流や磁気電子発生装置。並びに当該電流発生装置を用いた発電装置やマイナス磁気電子の持つ物質元素の酸化還元システム。その他、種々の応用装置に関する物である。
【背景技術】
【０００２】    図１は（ａ）磁気と（ｂ）電荷の差異を説明するための図である。左側に磁気、右側に電荷の場合を、上中下段に双極子、プラス極、マイナス極の場合を示す。磁気の場合はＮ極Ｓ極一対でなければ存在しないが、電荷の場合には単極でも存在しうる。電子の左右回転のプラス・マイナス磁気電子利用理論は´０７年ノーベル物理学賞のスピントロニクス理論に基ずいている。電子は元素の中で原子核の周囲を回っている微小な粒子である。電子が導線の中を移動することで電流が生まれ磁場が発生する。電子と言えば電気のイメージであるが、一方スピンは電子の回転で磁気を持つ事である。そして、電子の回転方向で、例えば左回転でプラス電荷とＮ極のプラス磁気を持ち、右回転でマイナス電荷と、Ｓ極のマイナス磁気を持つ。図（ｃ）は元素の説明図である。全ての物質の究極は元素であり、それら化合物である。元素は原子核と電子で成り立ち、原子核は陽子と中性子で構成される。元素の種類により陽子と中性子の数値が変化し元素番号に表れる。それに合わせ周囲電子の数値も変化する。以下は、（私見による推測）であるが、元素の原子核は地球と同じ左回転しプラススピン（プラス電荷だけでなく磁気も持つ）周囲を回転するマイナス磁気電子の概念図である。電子殻リングと電子スピン運動には共に回転電流が発生し、アンペールの右ネジの法則が成り立つ。図（ｄ）は電子殻の軌道は内側からＫ，Ｌ，Ｍの各リング軌道の回転方向で、磁気モーメントに正負があり、Ｋは右回転しマイナス磁気、Ｌは左回転しプラス磁気、Ｍは右回転しマイナス磁気を持つ、原子核とリングどうしでもプラス・マイナスのバランスを保つ。また、マイナス磁気電子もスピンの回転方向で磁気モーメントに正負があり、原子核周囲の配置の位置で反転し磁気モーメントの正負に応じてプラス磁気電子、マイナス磁気電子と称する。【０００３】    図２（ａ）は元素番号８．０＝酸素の陽イオン（７）＝酸化作用図で、原子核８個、周囲電子は６個で２個不足、別名、活性酸素。英語でネガテブエアーイオンと表示、学術用語にプラスイオンは無い。中性（３）は原子核８と周囲の電子８で数値が同じであれば、電気的に中性となる。逆に周囲電子数値１０が元素の原子核番号８の数値より多いと、元素全体がマイナス磁気を帯びる。これが陰イオン（８）＝還元作用の正体で、英語ではポジテブエアーイオンと表示、学術用語にマイナスイオンは無い。図（ｂ）は酸素と水素の化合物の水分子で、陽イオン（７）の水は酸化電位が高く、中性（３）の２００ｍＶを境に陰イオン（８）は還元作用が高くなる。これらの水はＯＲＰの酸化還元電位計で計測でき、別途資料添付。図（ｃ）はＣＯ２の「私見による推測図」である。元素番号８＝酸素、６＝炭素、の原子核周囲の電子が燃焼により減少し両元素が共有結合で、炭素を中心に酸素の両元素が遠赤外線磁気エネルギーで接続アームが振動し熱発生が温暖化の原因である。図（ｄ）は、マイナス磁気電子を強制的供給で両元素の共有結合が切断できる可能性があり元素の中性化（３）や陰イオン化（８）でＣＯ２減少の可能性が予測される。図（ｅ）は、元素番号７・Ｎ＝窒素の陽イオン（７）図で、電子は４個で燃焼で３個不足し、マイナス磁気電子を強制��に供給すると中性（３）で、周囲の電子数７個で同数である。右側は周囲電子数は１０個で３個過剰で陰イオン化（８）の可能性の図である。【０００４】    図３（ａ）地球の磁力線関係と回転による電磁気（電荷と磁気をいう）以後、電磁気という、発生のメカニズムを説明する図である。１９４９年のＥ，Ｃ，プラード卿の地球内ダイナモ理論もあるが、今回、その理論を別とする。図は北極星から見ると地球は西から東に反時計回りに回転している。図（ｂ）は電磁気発生のアンペールの右ネジの法則を説明する図である。「電線に電流を流すと、その周囲に磁力線が発生する」デンマークの物理学者エルステッド１７７７〜１８５１年によって発見された物理現象で、フランスの物理学者アンペールが体系化したためアンペールの右ネジの法則と呼ばれている。北極から南極に向けネジを入れるとネジを右に締めなくても地球が左回転するため自動的に締めた事になる。図（ｃ）その原理を地球の電磁気発生原理をアンペールの右ネジの法則を棒磁石においての説明図（私見による推測）である。北極のＮ正極から南極のＳ負極に貫く縦軸を電磁気が流れる態様を棒磁石で表し、南極から吹き出したエネルギーは北極に戻り循環している態様である。図（ｄ）は地球を北半球から見た図で、北半球は左回転し地球内電子も磁気に引かれ左回転しプラス電磁気となり、外側磁力線からの発生電子は地球回転磁力に引かれ右回転しマイナス電磁気となる。図（ｅ）は地球を南半球から見た図で、南半球は右回転し地球内電子は右回転しマイナス電磁気となり、外側磁力線からの発生電子は地球磁力に引かれ左回転しプラス電磁気となる、エネルギーのプラス・マイナス＝ゼロの平衡が保たれている。図（ｆ）前記磁気反転の予測図で（ｃ）の分析図である。宇宙の普遍性のエネルギー運動と、磁気プラス・マイナスの対称性からの保存則を、宇宙のブラックホール、ワームホール、ホワイトホールのエネルギー作用を地球においてニュートンはリンゴの落下を万有引力として解明した。そのエネルギー発生の法則性の説明図であり、銀河星雲や太陽系にも共通する。北半球では地球は左回転し北極側にプラス磁気エネルギーで吸い込む磁力線の渦が発生しブラックホールが存在する。南北地軸中心の赤道中間点にワームホールがあり、同一回転でも南極側は右回転となりマイナス磁気エネルギーで吹き出す渦が発生しホワイトホールが存在する。磁力線は南極外側に存在するＮ正極からマイナス磁気で吹き出し赤道付近のワームホールラインで反転しプラス磁気となり北極のＳ負極に磁力線で戻り地球内外を循環する。それらブラックとホワイトホールの片鱗はコリオリの力を越え、南北半球のジェット気流や天気の西からの変化に見られ、また、洗面排水は同じ回転であるが北半球は左回りとなり、南半球は右回りとなり確認できる。これら検証には図（ｆ）と共に地球儀で北極を上にして西から東に回転させながら南極と北極を水平にさせて行くと中間の赤道でワームホールで反転し、南半球は右回転となりマイナス磁気発生のホワイトホールとなる。同一回転の左回りでもワームホールで右回転となりそのまま南極から吹き出し、地磁気全体ではプラス・マイナスは共に高い数値で揃い＝ゼロになる。尚、地磁気は０．３���０．５ガウスで微弱なため無視されているが微弱でもプラス磁気は元素が陽イオン化する。前記、ブラックホール、ワームホール、ホワイトホールは、ニュートンの万有引力に働く引力と反発力エネルギー発生源と推測される。赤道で時速１，６７０ｋｍの回転で、前記の微弱な磁気エネルギー数値とは考えにくい。自転しない月の引力は地球の１／７と弱く比較し、逆算のエネルギー想定数は銀河星雲は６６％、太陽系は２７％、地球自転での７％＝１００％となり、他の惑星と同じ磁気反発浮上作用が働いている物と思われる。また、回転を発生させている磁気ブラックマターエネルギー単位はニュートリノの電子質量を１．０とした場合、０．１２位の微小サイズで現代の計測装置では捕捉できない質量で今後科学の発達で解明される事が期待されている。図（ｇ）はプラス電磁気発生の説明図である。地球と同じ電子上部Ｓ極からエネルギーが入り下部Ｎ極に抜ける、電子は左回転しアンペールの右ネジは締めなくても自動的に締まる回転となる、縦棒磁石はそれを表した物である。図（ｉ）プラス棒磁石（１３）は左正面から見て左巻きに導線が巻かれ電流が左Ｎ正極から右Ｓ負極に流れアースされた図である。棒磁石左側のＮ正極から棒磁石右側に存在するＳ負極に磁力線が形成されプラス電磁気が発生する。図（ｈ）はマイナス電磁気発生の説明図である。電子は下部Ｓ極からエネルギーが入り上部Ｎ極に抜ける、電子は右回転しアンペールの右ネジは自動的に緩む回転となる、縦棒磁石はそれを表した物であるが上部から下部に右螺旋に電流を流しても良い。図（ｊ）マイナス棒磁石（１２）は右正面から見て右巻きに導線が巻かれ電流が右側Ｎ正極から左側Ｓ負極に流れアースされた図である。棒磁石右側のＮ正極から棒磁石左側に存在するＳ負極に磁力線が形成されマイナス電磁気が発生する。【０００５】    これらの利用について、例えば以下の非特許文献１〜１２参照。
【非特許文献１】「静電三法、１９９１年、株式会社電子物性総合研究所」
【非特許文献２】「なぜ磁石は北をさす  昭和５３年  ブルーバックス講談社」
【非特許文献３】「電気と磁気がわかる本  １９９６年  日本実業出版社」
【非特許文献４】「磁石と磁気のしくみ、２０００年１月、日本実業出版社」
【非特許文献５】「空気マイナスイオン応用事典、´０２年（株）人間と歴史社」
【非特許文献６】「量子論´０６年１０月、周期表´０７年１月、イオンの決定版０７年４月、地球温暖化´０７年８月、Ｂ／Ｗホール´０８年５月、（株）ニュートン」
【非特許文献７】「水とはなにか、１９９３年９月、ブルーバックス、講談社」
【非特許文献８】「ここまでわかった「気」の科学、１９９８年  ごま書房」
【非特許文献９】「トコトンやさしい水の本」２００４年  日刊工業新聞社」
【非特許文献１０】「ミネラルウォーター完全ガイド、２００６年、大和書房」
【非特許文献１１】「マイナスイオンが生命危機の時代を救う´９６年  健友館」
【非特許文献１２】「マイナスイオン療法の威力´０２年６月（株）史輝出版」
【発明の開示】
【発明が解決しようとする課題】
【０００６】    上記課題を解決するために、本発明の第１の態様の磁気電子発生装置は、図８に示すように、絶縁性ボビに導電線を右巻（１２）に配置したコイルからなる複数のマイナス棒磁石を前記ボビンの軸方向に一列に配置したものをマイナス棒磁石リニアアレイ、絶縁性ボビンに導電線を左巻（１３）に配置したコイルからなる複数のプラス棒磁石を前記ボビンの軸方向に一列に配置したものをプラス棒磁石リニアアレイとし、前記マイナス棒磁石リニアアレイを構成するボビンの軸を連ねたものを前記マイナス棒磁石リニアアレイの軸、前記プラス棒磁石リニアアレイを構成するボビンの軸を連ねたものを前記プラス棒磁石リニアアレイの軸とし、板面にほぼ垂直に突出させた導電性の電子アンテナを一列に配置し、各電子アンテナを導電性の材料で前記板面に添って接続したものを電子アンテナリニアアレイとし、パネル上に、前記マイナス棒磁石リニアアレイとを、それぞれの軸を平行にして交互に配置して、二次元棒磁石アレイを構成し、さらに、前記パネル上に、前記二次元棒磁石アレイを挟んで、前記二次元棒磁石アレイを構成する前記マイナス棒磁石リニアアレイ及び前記プラス棒磁石リニアアレイの軸と直交する方向に軸を有する２本の前記マイナス棒磁石リニアアレイをそれぞれ発電用棒磁石として配置し、各マイナス棒磁石リニアアレイに添って、各電子アンテナの位置が各マイナス棒磁石の位置に対応するようにして、少なくとも１本以上の電子アンテナリニアアレイを配置し、各プラス棒磁石リニアアレイに添って、各電子アンテナの位置が各プラス棒磁石の位置に対応するようにして、少なくとも１本以上の電子アンテナリニアアレイを配置し、各マイナス棒磁石リニアアレイを構成する各マイナス棒磁石のコイルの一方をマイナス電子アンテナリニアアレイに、他方をマイナス棒磁石リニアアレイ用共通導電線に接続し、各プラス棒磁石リニアアレイを構成する各プラス棒磁石のコイルの一方をプラス電子アンテナリニアアレイに、他方をプラス棒磁石リニアアレイ用共通導電線に接続し、前記発電用棒磁石から磁気電子を発生させることを特徴とする。コイルの右巻、左巻は進行方向に対して巻くことを意味する磁気電子発生装置。【０００７】    本発明の第２の態様の磁気電子発生装置は、第１の態様の磁気電子発生装置において、前記マイナス棒磁石リニアアレイを構成する各前記棒磁石のコイルは、絶縁性ボビンの内側または外側に導電線を右巻に配置し、前記プラス棒磁石リニアアレイを構成する各前記棒磁石のコイルは、絶縁性ボゴンの内側または外側に導電線を左巻に配置したことを特徴とする請求項１に記載の磁気電子発生装置。【０００８】    本発明の第３の態様の磁気電子発生装置は、第１の態様又は第２の態様の磁気電子発生装置において、前記電子アンテナリニアアレイの前記板面が前記導電性の材料で形成されていることを特徴とする請求項１又は請求項２に記載の磁気電子発生装置。【０００９】    本発明の第４の態様の磁気電子発生装置は、第１の態様又は第２の態様の磁気電子発生装置において、前記電子アンテナリニアアレイの前記板面が絶縁性の材料で形成され、各電子アンテナを前記板面に添って接続した導電線が前記導電性の材料からなることを��徴とする請求項１又は請求項２に記載の磁気電子発生装置。【００１０】    本発明の第５の態様の磁気電子発生装置は、第１の態様ないし第４の態様いずれか１態様において各前記マイナス棒磁石リニアアレイに添って配置される前記マイナス電子アンテナリニアアレイを２本、各前記プラス棒磁石リニアアレイに添って配置される前記プラス電子アンテナリニアアレイを２本とすることを特徴とする請求項１ないし請求項４のいずれか１項に記載の磁気電子発生装置。【００１１】    本発明の第６の態様の磁気電子発生装置は、絶縁性ボビンに導電線を右巻又は左巻に配置したコイルからなる棒磁石と、板面にほぼ垂直に突出させた導電性の電子アンテナとを備え、前記コイルの一方を前記電子アンテナに接続し、他方を端子ケーブルに接続したことを特徴とする磁気電子発生装置。
【課題を解決するための手段】
【００１２】    上記課題を解決するために、図４はアンテナ類の説明図である。請求項１に記載の発明は、図（ａ）釘状（ｂ）リベット状（ｃ）三角板状（ｄ）曲げ板状（ｅ）型押し状があり導電性の材料で、磁力線電子を収集する電子アンテナ単体、図の並列モール状、図（ｆ）ユニット状をパネル状に組み込み内部導電材などで連結され出入口端子を持つ。また、アンテナは複数ユニット集合体を連結したり、図（ｇ）パネル全体に型押しアンテナ化した物、アンテナ以外型抜き軽量化した物などで、全て防錆処理を施す。【００１３】    図５は導電線類の説明図である。請求項８に記載の発明は、電流や電子導入の出入口に幅広シート状導電口やコネクターを供えた導電線や導電箔の複数線と複数層の概略図である。最低３本以上の複数の導電線や導電箔、導電粉の静電蒸着印刷した物や光配線フイルムに導電シートやコネクターで分岐接続され、端子出口で一口にまとめた複数並列の単層や複数層の配線類である。【００１４】    図６（ａ）マイナス磁気電子発生の棒磁石の説明図。アンテナ（４）や図４の複数電子アンテナ等から磁力線電子を導入し、図５の複数の導電線状態になった物、例えば導電箔、導電粉の静電蒸着印刷や光配線フイルム等を円筒に巻き付ける。また、複数層に棒磁石の右正極から左負極に向かって、右回りに巻き付けアースすると電子が流れ磁力線が発生し電子は右回転しマイナス磁気電子が放出される。図（ａ）（ｃ）の中央から左側の破線はモールアンテナを棒磁石外側に添わせ円筒カバーを取り付けた一体型である。図（ｂ）は図（ａ）の方法を、直流電流アダプターやバッテリーから導入の電気を利用したものである。図（ｃ）は、前記、図（ａ）と（ｂ）を組み合わせた物である。図（ｄ）ソレノイド型は、前記、図（ａ）（ｂ）（ｃ）のどの方式においても利用できる。【００１５】    図７は磁石断面の説明図である。円筒形、薄型長方形、楕円形である。図（ａ）内側に導電線入りコイルリング状、図（ｂ）絶縁材フレームで空芯と絶縁材で詰物をした有芯。図（ｃ）は請求項９記載の芯右内側の破線は導電粉を静電蒸着した物で、芯内左側は導電テープを部分的に張り付けた物、それに詰物をした有芯も含まれる。【００１６】    図８は発電パネルの説明図である。立面図（ａ）と上部破断拡大図（ａ１）と下部破断拡大図（ａ２）となる。（ｃ）はそれらの破断拡大平面図である。（ｂ）は下部破断側面図となる。それらを接続するとパネルとなる。図（ａ）の外部は絶縁材パネル（２４）で覆われ、内部パネルフレーム（２３）で組み立てられ、内部絶縁材（１８）でパネルが構成され、内部絶縁材に添って、電子アンテナユニット（４）と導電箔や板（９）に接続され、発電ボビンユニット（２０）から端子ケーブル（１１）をとうりバッテリー（１９）にと構成されている。電子の流れは、電子アンテナリニアアレイ（４）から導電箔や板（９）に接続され、発電ボビンユニット（２０）のマイナスボビンリニアアレイ（１２）を通過した電子はマイナス電流となり、プラスボビンリニアアレイ（１３）を通過した電子はプラス電流となり、それぞれの端子ケーブル（１１）からバッテリー（１９）に蓄電され、それ以降の流れは太陽光発電装置と同じシステムとな���。また、パネル上部には周囲の電磁波に対しマイナス磁気を発生中和させ、パネル下部に地磁気プラス磁気を中和のマイナス磁気（１２）発生の棒磁石を設置するなどで構成される。又は遠赤外線磁気（２１）の設置や併用でも良い。
【発明を実施するための最良の形態】
【００１７】    以下に図面に基ずき本発明の実施の形態について説明する。【００１８】  ［本発明の原理］
本発明の原理は、図（４）で分かりやすく説明すると、磁力線の電子を電子アンテナリニアアレイで集電し、図（８）の円筒ボビンに導電線を左巻にするとプラス電磁気が発生し、右巻にするとマイナス電磁気が発生する。これらはスピントロニクス理論で実証されている。【００１９】  ［第１の実施の形態］
図９に本実施の形態における説明図である。通常の地磁気作用と、マイナス磁気電子供給作用を水の回転運動の差で示す。図（ａ）対照区写真（ｂ）試験区写真である。各図の左側は比較のため通常の磁気の場合（対照区と称する）、右側に本実施のマイナス磁気電子供給の（試験区と称する）を示す。図（ｄ）は対照区と、図（ｅ）は試験区の説明図である。図（ｃ）（ｆ）は図（ｂ）試験区の断面図である。実施の形態は、屋外にてポリスチロール製の容器に通常の水道水を入れた。試験区では容器下に遠赤外線磁気放射（２１）の備長炭を設置し地磁気を中和し、両側に金属パイプを双方の下部に設置して対照区に遠赤外線磁気の影響が及ばないようにした。図（ｂ）試験区水槽中心に直径３ｍｍの針金先端を尖らし、電子アンテナ（４）として立て、裸導電線直径０．５ｍｍで水槽内側の東西南北に振り分け内壁に添って、直径１０ｍｍ×１０回巻きリングで長さ１０ｃｍのマイナス棒磁石（１２）を縦方向に上から下に向かい、アースなしで設置した。対照区及び試験区容器底ほぼ中心にポスターカラーを滴下し、時間の経過でポスターカラーが水と一緒にどの様に拡散するかを観察した。写真は３０分後の撮影でポスターカラーは水と一緒に拡散し容器底の模様が明瞭に観察される。図（ａ）対照区では地磁気の影響で水は底を北極（時計の１２時、上方向）に向かって３時方向に左回転した様子である。図（ｂ）試験区は遠赤外線磁気で地磁気中和とマイナス磁気電子供給で水は北極（時計の１２時方向）に向かって９時方向に右回転した図である。図（ｃ）（ｆ）は図（ｂ）の断面図として棒磁石と磁力線作用の関係を図示したものである。【００２０】  ［第２の実施の形態］
図１０に本実施の形態における説明図である。（ａ）対照区（ｂ）試験区（ｃ）ゼロ磁場区とし室内で行った。図（ｂ）（ｃ）は棒磁石で直流電流での実験である。容器は直径１９ｃｍ×深さ３ｃｍのプラスチック容器中心にポスターカラーを滴下し通常の水導水を入れた。図（ｃ）ゼロ磁場区は容器下に遠赤外線磁気セラミックスシートを設置し他に影響が及ばないよう距離を開けた。マイナス棒磁石（１２）は直径３６ｍｍ×長さ２７ｃｍの中空円筒中心に導線を挿入し、直流電流１２Ｖ×３Ａ×２＝２４Ｖ、２本線でコイル芯直径０．５ｍｍ被覆線を右回りに平行に巻き付け、電流が東から西に流れるように設置し、図（ｂ）（ｃ）の容器中心にして磁力線内に配置しアース（１７）に接続した。前記、図９と設置場所が異なるため、図（ａ）が右側にきたが、地磁気で北極（時計の１２時、上方向）に向かって水は時計の２時方向に左回転した様子である。図（ｂ）はマイナス磁気電子供給で時計の９時方向に右回転しそうな様子である。図（ｃ）は遠赤外線磁気セラミックスシート設置で地磁気を中和し、右回転で時計の１２時方向にまで達した様子である。図（ｅ）は右上写真を図面化したものであり、図（（ｄ）は立面図である。また、棒磁石設置は東から西にエネルギーが流れるよう配置した。【００２１】    前記、遠赤外線放射物質とは、原子番号１２−Ｍｇ，マグネシウム、１３−ＡＩ，アルミニウム、１４−Ｓｉ，ケイ素、２２−Ｔｉ，チタン、４０−Ｚｒ，ジルコニウム、の各種金属元素類である。その他、木炭類の原子番号５−Ｂ，ホウ素、５−Ｃ，炭素、の無機化合物。出典ウィキペディア。尚、木炭類も多種類ありテストの結果、磁気放射率が最も高かったのは紀州の備長炭であった。金属元素類のセラミックスには多種類あり用途により混合比率が異なりメーカーの企業秘密である。これら物質形状は粉体からの塗料、シート状、粒子状、プレート状、塊状がある。目的に合わせ塗布するもの、シートで張り付ける物、木炭の地中埋設で地磁気を中和する物など目的に応じられる。【００２２】  ［第３の実施の形態］
第３の実施の形態における、マイナス磁気電子を供給して作成した水の諸特性を通常の水道水と比較する。マイナス磁気電子放射の棒磁石を地表に平行に東から西に電気が流れるよう配置しアースした。棒磁石中央下１７０ｃｍに水道水入りペットボトル容器を３日間静置した。容器下に遠赤外線放射（２１）の木炭の備長炭厚さ２４ｃｍを設置、棒磁石は直径６ｃｍ×長さ１８２ｃｍの木製で１本の導電線を平行に添わせ、その上から導電線芯０．５ｍｍの被覆線×２本で幅４．８ｍｍ×２本＝４本で１０ｃｍ当たり１０回巻き付けた物である。。以下（ＯＲＰ）酸化還元電位に関するデータである。源水は東京都多摩市の水道水、酸化電位＋６７６ｍＶである。蛇口取り付け中空糸フイルターで塩素除去で（＋２９０ｍＶ）となった。市販のミネラルウォーターなど自然水の酸化電位は−５０〜＋２６０ｍＶの範囲に入る。酸化水とは＋２００ｍＶ以上の水で＋２００ｍＶの境界線は純水の標準酸化電位が＋２００ｍＶであることから基準になっている。
１．直流電流６．５Ｖ×２＝１３Ｖ２本巻  酸化電位２５０ｍＶ  降下  −４０ｍＶ
２．アンテナ直径４．５ｍｍ×８本４本巻  酸化電位２４０ｍＶ  降下  −５０ｍＶ
３．アンテナ直径２ｍｍ×１５０本４本巻  酸化電位１４０ｍＶ  降下−１５０ｍＶ
上記、１〜２の（ＯＲＰ）測定機器は電気化学計器（株）製で、測定は（株）命の水研究所。３と他の測定機器は（株）佐藤商事製で当所測定。３のアンテナ１本で１ｍＶの酸化電位が下がった、結果アンテナ直径や本数増設で必要とするエネルギー量が確保できる。【００２３】    前記、水道水の陽イオンの電気的中性化や陰イオン化、図２（ｂ）への原理を見える形の実験を下記の通り行った。水道水に試薬のオルトトリジンを滴下撹拌すると水は黄変する。塩素で水道水の酸化電位を上げ＋６７６ｍＶで殺菌効果を高め陽イオン化した物である。そこに日本茶の粉茶を適量投入撹拌で原子核と電子が磁気結合し瞬時に＋６７６ｍＶが還元電位＋３６ｍＶに下がり無色透明になる。還元メカニズムは粉茶のビタミンＣの持つマイナス磁気電子で塩素と水分子の原子核周囲の電子が揃い一挙に陰イオン化した結果であるこの実験は科学的な理論と根拠に基ずき立証し確実に目的が達成できる技術や方法であり、水の原子核にマイナス磁気電子の供給で水の酸化電位を下げられる事は、他の元素類の原子核にも共通することになる。【００２４】    尚、マイナス棒磁石の磁力線の有効範囲は、図３（ｃ）が該当し、図６（ａ）や（ｂ）の棒磁石で行った。直径６ｃｍ×長さ１８２ｃｍの場合、棒横幅は１８２ｃｍ位で左右は棒磁石外側６０ｃｍ位迄である。近いほど磁束密度が濃く外側ほど薄くなる。因みに２１０ｃｍ下の東側と中心直下の水は２１６ｍＶで、棒磁石西側６０ｃｍ離れた水は２３０ｍＶであった。これらは、棒磁石の長さと磁力線の強さで異なる。それら見えない磁力線を見える形で確認するには、図１０のプラスチックス容器の方法が安易である。遠赤外線放射の放射率にもよるが、厚さ２４ｃｍ以上の木炭の上にプラスチックス容器にポスターカラーを滴下し上から水道水を注ぎ静置すると３０分以内に結果が判明する。容器は６個用意し棒磁石左右外側と中心外側に１個は木炭上、１個は木炭なしのそれぞれ２個セットで木炭上のポスターカラーが水と一緒に北極を時計の１２時として９時方向に右回転していれば磁力線内である。対照区の木炭なしは３時方向に向かう。但し、地磁気は一定ではなく強弱があり木炭の量で調整の必要がある。また、棒磁石の磁力線電子量が強いと９時方向を通過し１２時も通過する。【００２５】  ［第４の実施の形態］
第４の実施の形態では、図１１、水道水の酸化還元器（ａ）平面図、（ｂ）立面の各概念図である。水道水にマイナス磁気電子供給器であり、装置下部に遠赤外線放射物質（２１）を設置し、右下部から取水し多段式に下から上に、上から下にと、前側から後ろ側にと循環するように配管され、その循環中に複数設置のマイナス棒磁石（１２）から供給のマイナス磁気電子の供給を受け水分子の酸化電位が降下し、左下部から既存給水管に接続し供給される。【００２６】  ［第５の実施の形態］
第５の実施の形態では、図１２、燃焼機器類（ａ）平面図（ｂ）立面図（ｃ）側面の各概略図である。自動車や船舶エンジンやボイラー等の燃焼機器排出のＣＯ２は燃焼後による元素化合物の電子不足で酸化の陽イオン化したものである。燃焼機器下部に遠赤外線放射物質（２１）を設置し、機器周囲にマイナス棒磁石（１２）を複数設置し直流電流でマイナス磁気電子を大量に供給し強制的に元素陽イオンを中性化や陰イオン化させるとＣＯ２減少の可能性を提供できる。また、燃焼前の燃料と酸素にマイナス磁気電子の供給で燃料の炭素や酸素の電子が揃い元素が陰イオン化、増量の電子分で燃焼力が向上し省エネルギー効果を提供できる。【００２７】  ［第６の実施の形態］
第６の実施の形態では、図１３、温暖化ガス排出工場（ａ）平面図（ｂ）立面図、（ｃ）側面図の各概略図である。図３（ｃ）のＣＯ２や（ｅ）の窒素酸化物は燃焼による元素化合物の電子不足で酸化の陽イオン化したものである。対処するには地中に遠赤外線放射物質（２１）やマイナス磁気電子棒磁石（１２）等を地中埋設で、地磁気を中和する。建物と燃焼炉、排気塔周囲にマイナス棒磁石を複数設置し磁力線電子と直流電流との併用で大量にマイナス磁気電子を供給し強制的に元素化合物の陽イオンを電気的中性化や陰イオン化させるとＣＯ２減少の可能性を提供できる。また、燃焼前の燃料や酸素にマイナス磁気電子を供給すると、燃料の炭素や酸素の元素の電子が揃い陰イオン化し、増量の電子分で燃焼力が向上し省エネルギー効果を提供できる。これらは既存の装置類にも設置可能の場合がある。【００２８】  「第７の実施の形態」
第７の実施の形態では、図１４、各種プラント類（ａ）平面図（ｂ）立面の各概略図である。原料や製品類などのプラント、施設周囲地中に遠赤外線放射物質（２１）を埋設し、施設周囲にアンテナ一体型マイナス棒磁石（１２）を複数設置し、磁力線電子や直流電流でマイナス磁気電子を強制的に大量に供給すると元素陽イオンを中性化や陰イオン化できる。原材料や完成品の元素の電子が揃い加工しやすく、この処理で製品完成度も高まる。【００３９】  「第８の実施の形態」
第８の実施の形態では、図１５、サイロ等の穀物類の貯蔵施設（ｂ）平面図（ａ）立面図の概念図である。施設敷地周囲に遠赤外線放射物質（２１）を地中に埋設しタワー周囲にアンテナ一体型マイナス棒磁石（１２）を複数設置する。サイロなど穀物類には３つの効果が提供できる。１、穀物に含まれる残留農薬成分の陽イオンを中性化や陰イオン化で減少や消去の可能性を提供できる。２、穀物の中性化や陰イオン化は鮮度維持になる。３、それら食品は人間にも動物にも良く健康体となり、それら原料の加工食品は添加物も削減でき安全安心の食品づくりを提供できる。【００３０】  「第９の実施の形態」
第９の実施の形態では、図１６、車両類の（ａ）鉄道車両、（ｂ）バス（ｃ）トラック、コンテナ、（ｄ）乗用車、（ｅ）バイク等、乗り物の移動で疲労するのは通過する土地の地磁気プラス磁気変動の影響を受けるのが一因である。車両下部に遠赤外線放射物質（２１）を設置し、車体上部に磁力線電子や直流電流でのマイナス棒磁石（１２）でマイナス磁気電子を供給し元素陽イオンを中性化や陰イオン化させると、３つの効果を提供できる。１、乗客乗員は陰イオンで気功と空気の酸化還元効果で癒される。２、荷物や車両の物質電子が揃い、鮮度維持で劣化や金属疲労防止に役立つ。３、車両本体はマイナスに帯電し表面はプラスに帯電し、ゴミはプラス帯電で反発し付着の減少で清掃回数の時間と水の経費削減を提供できる。【００３１】  「第１０の実施の形態」
第１０の実施の形態では、図１７、航空機の（ａ）立面図（ｂ）平面図（ｃ）エンジン正面図、（ｄ）平面図の各概念図である。排気のＣＯ２は燃焼による元素化合物の電子不足の状態である。エンジンや機体下部に遠赤外線放射物質（２１）を設置し、エンジン周囲や機体上部にマイナス棒磁石（１２）を複数設置し磁力線電子や直流電流でマイナス磁気電子を大量に供給し強制的に元素陽イオンを中性化や陰イオン化させるとＣＯ２減少の可能性を提供できる。また、燃焼前の燃料や酸素にマイナス磁気電子の供給で燃料のＣ炭素やＯ酸素の電子が揃い元素が陰イオン化し、増量の電子分で燃焼力が向上し省エネルギーを提供できる。その他、機体では３つの効果が提供できる。１、乗客乗員は陰イオンで気功と空気の酸化還元効果で癒され、血液の循環が促進しエコノミー症候群の予防となる。２、機体や荷物の物質電子が揃い鮮度維持や劣化や金属疲労防止に役立つ。３、機体はマイナスに帯電し表面はプラスに帯電でゴミはプラスに帯電しているので反発しゴミの付着が減少し清掃回数の減少で時間と水と経費削減を提供できる。【００３２】  「第１１の実施の形態」
第１１の実施の形態では、図１８、船舶（ａ）側面図（ｂ）正面の概略図である。ＣＯ２は燃焼による元素化合物の電子不足状態である。エンジンや船体下部に遠赤外線放射物質（２１）を設置し、エンジン周囲や船体上部に（１２）マイナス棒磁石を複数設置し磁力線電子や直流電流でマイナス磁気電子を大量に供給し強制的に元素陽イオンを中性化や陰イオン化させるとＣＯ２の減少を提供できる。また、燃焼前の燃料にマイナス磁気電子を供給する事で、燃料のＣ炭素やＯ酸素の元素が陰イオン化し、電子増量分で燃焼力が向上し省エネルギーを提供できる。船体設置のマイナス棒磁石（１２）で３つの効果を提供できる。１、乗客乗員は陰イオンで気功と空気の酸化還元効果で癒され、血液循環が促進し病気の予防となる。２、船体や積み荷の物質元素の陽イオンが陰イオン化し鮮度維持や金属疲労防止に役立つ。３、航行中に海水に含む汚染物質の元素陽イオンにマイナス磁気電子の供給で中性化や陰イオン化で減少し海水浄化機能を提供できる。【００３３】  「第１２の実施の形態」
第１２の実施の形態では、図１９、人体エネルギーバランスを示した物である。図左側の体内は陽イオン化であり皮膚表面はマイナス側に帯電し浮遊のゴミはプラス電荷で吸着する。図右側の体内は陰イオン化であり皮膚表面はプラス電荷で浮遊物のゴミなどはプラス電荷で反発し付着しない。体重の６０％以上は水分であり酸化電位の高い水や飲料と食品に含む残留農薬や添加物元素は陽イオンで酸化電位が高い。空気中に含まれる汚染物質で雨が降ると分かるように酸性雨で陽イオン化の酸化状態である。図左側のように陽イオン化し免疫力を弱めイライラやキレルなどの現象を招き免疫力と自然治癒力を弱める。図右側はマイナス磁気電子の気功エネルギーで水や食品と室内空気を改善し、それらの中性化や陰イオン化で免疫力と自然治癒力が向上する。また、マイナス棒磁石の電子は細胞内水分子の原子核プラス磁気のＮに対し磁石のＮ，Ｓ，のようにマイナス磁気電子は確実に磁気結合し陽イオンの中性化や陰イオン化して還元を提供できる。【００３４】  「第１３の実施の形態」
第１３の実施の形態では、図２０、（ａ）平面図（ｂ）立面図（ｃ）既存側面図、（ｄ）新築側面の概念図である。（ａ）平面図左側は新築で地中に遠赤外線放射物質（２１）を埋設した図である。平面図右側は既存建物でスペースが確保できない場合、マイナス棒磁石（１２）を埋設した図である。図（ｂ）は新築のマイナス棒磁石設置の方法である。図（ｃ）は既存建物にマイナス棒磁石設置の方法である。図（ｄ）は新築建物の場合のマイナス棒磁石（１２）設置方法である。遠赤外線放射（２１）の木炭の地中埋設とか、床面に遠赤外線セラミックスシート（２１）の設置でも良い。建物内の全ての物質元素の陽イオンが中性化や陰イオン化し、３つの効果を提供できる。１、気功で人間や動物も陰イオン化し、体内活性酸素の陽イオンを中性化や陰イオン化で消去できる。２、陰イオン化で室内空気は無臭化し森林浴効果が得られる。３、木炭の地中埋設は土地の気枯れ地は癒しろ地となり植物は良く育ち、建物、什器、備品や衣類は劣化防止となり食品類は鮮度維持になる還元作用を提供できる。【００３５】  「第１４の実施の形態」
第１４の実施の形態では、図２１（ａ）立面図、（ｂ）側面図である。各階の天井裏にマイナス棒磁石（１２）を設置すると上下階双方にマイナス磁気電子を提供でき、また、地磁気中和のため、遠赤外線放射するセラミックスシート（２１）を床面に設置すると、より高い相乗効果が得られる。ビルや病院などの高層建物における屋上の給水搭に複数のマイナス棒磁石（１２）設置で水は陰イオン化する。また、同じように冷暖房のクーリングタワーに設置するとレジオネラ菌の元素陽イオンが中性化され病気予防となる可能性がある。これらは既存建物にも設置可能である。【００３６】  「第１５の実施の形態」
第１５の実施の形態では、図２２（ａ）平面図（ｂ）業務用平面図（ｃ）立面図、（ｄ）側面図（ｅ）は（ｂ）業務用の立面図である。（ａ）は冷凍冷蔵庫と食品棚の家庭用（ｂ）は業務用で、背面にマイナス棒磁石（２１）を設置する。（ｃ）（ｄ）家庭用、（ｅ）業務用の立面図、各概略図である。図（ａ）（ｂ）は下部のコンプレッサー上部に地磁気とコンプレッサーからの電磁波を中和させる、遠赤外線磁気物質、（２１）かマイナス棒磁石（１２）を設置する。背面にマイナス棒磁石（１２）を設置する。この様にすると鮮度維持や残留農薬成分と食品添加物の元素陽イオンをマイナス磁気電子で中性化や陰イオン化での減少で、より安全安心の食品となる。また、図（ｆ）はベッド正面図、（ｇ）は側面の概念図である。ベッドの上か下にマイナス棒磁石（１２）をベッドに沿って設置する。また、ベッドクッション下に遠赤外線放射のセラミックスシートかベッド下に木炭を設置すると、就寝中は気功と室内空気の無臭化や森林浴の相乗効果で疲労が解消し健康で元気になれ、昼間は室温で寝具が乾燥し衛生的な環境を提供する事ができる。【００３７】  「第１６の実施の形態」
第１６の実施の形態では、図２３（ａ）園芸ハウス平面図（ｂ））側面図である。平面図上部と下部に遠赤外線放射物質（２１）を深さ９０ｃｍ×直径９０ｃｍ厚さ３０ｃｍの木炭を地中埋設する。（ｂ）側面図右側は通常のマイナス棒磁石（１２）を設置する場合を示した。左側は平面図の下部と図（ｃ）のマイナス棒磁石（１２）の中のパイプに温水（２２）を通し温熱と棒磁石からのマイナス磁気電子との供給は作物の根に、３つの効果がある。１、温水で土壌殺菌は薬剤不要となる。２、土壌暖房で低温でも人間の腰湯のように温たければ耐えられ省エネルギーであり良く成育する。３、土壌の残留農薬による気枯れ地の陽イオンを陰イオン化で癒しろ地に変換し、土壤微生物の繁殖が盛んになり毛細根が養分を吸収しやすく作物の成育が盛んになる。（２２）温水通水や温風パイプ兼用断面図である。【００３８】  「第１７の実施の形態」
第１７の実施の形態では、図２４（ａ）平面図（ｂ）立面図（ｃ）側面の各概念図である。地中に遠赤外線放射（２１）の木炭埋設や、床面の遠赤外線セラミックスシートと設置する。屋根設置のアンテナ（４）から磁力線電子や直流電流を導入し、マイナス棒磁石（１２）の設置方法は従来の天井や床面に限らず、新築及び既存建物で外壁に図のように設置、電子アンテナ一体型棒磁石設置もできる。また、地中埋設する事もできる。そして建物の種類は研究所、培養所、作業所、加工所、醗酵熟成所、冷凍冷蔵庫、貯蔵庫、倉庫、家畜舎、その他あらゆる建物に利用できる。研究所においては西洋のバイオ関連は遺伝子組み替えが主流であるが、わが国は酵母や微生物の培養を得意とし陰イオン化の建物内においては雑菌の繁殖を押さえ、環境優位性の中での研究開発の成功の可能性が大きい。醗酵熟成も同じ効果が得られる。作業所や加工所は材料や製品、作業する人達もマイナス磁気電子を受け気功と空気もさわやかで健康となり効率も上がる。冷凍冷蔵庫、貯蔵庫、倉庫は食品類に含む残留農薬や抗生物質の陽イオンを中性化や陰イオン化させ鮮度維持がはかれる。家畜舎は近年の鳥インフレエンザ被害が続出しウイルス侵入に万全の対策は経済的にも大きな負担である。原因の１つに飼育環境と飼料に含む残留農薬と飲料水の問題があり生体が弱っている。対処には家畜への気功と臭気の減少、飼料の残留農薬の減少や消去と飲料水が改善されれば飼料に添加する抗生物質の削減がはかれ家畜の生体が元気になれる、健康体であれば生産も上り安全安心の食品が得られ付加価値も向上する。これらは既存建物にも設置可能である。【００３９】  「第１８の実施の形態」
第１８の実施の形態では、図２５（ａ）土壌断面図で汚染浄化、（ｂ）作物生産、（ｃ）原材料と完成品に電子供給方法の各概念図である。図（ａ）は土壌汚染物質の元素陽イオンに対し地中埋設（２１）の木炭やマイナス棒磁石（１２）からのマイナス磁気電子は地磁気を中和させ、元素の中性化や陰イオン化の可能性がある。図（ｂ）は田畑や果樹園に遠赤外線放射物質（２１）の埋設とマイナス棒磁石（１２）で土壌は癒しろ地の陰イオン化し微生物の繁殖で作物の成育が良くなる。図（ｃ）は屋外の原材料や完成品置き場でそれらの製造時の交流電流の印加で陽イオン化した物質元素に遠赤外線放射物質（２１）の埋設やマイナス棒磁石設置で地磁気中和とマイナス棒磁石（１２）で陰イオン化し、原材料の電子配列が整い加工が容易になる。また、完成品の電子配列が整い自動車などはエネルギーを吸収しないので燃費性能が向上する。図（ｄ）廃水浄化や河川水浄化、陸上養殖に遠赤外線放射物質（２１）を施設周囲地中に埋設し地磁気を中和させ、周囲にマイナス棒磁石（１２）を設置するとマイナス磁気電子（５）が汚染物質を浄化し、養殖の魚介類はマイナス磁気電子で陰イオン化しすくすく育つ環境を提供できる。図（ｅ）は大きな面積を持つ養殖場である。水面にイカダなどを設置しイカダ上部に、図６の（ａ）の図左側のアンテナ一体型のマイナス棒磁石（１２）を設置し海上からと、また、得られた磁力線電子を分岐し水中の、図７（ａ）のコイルリングのマイナス棒磁石で水底までマイナス磁気電子供給が可能となる。【００４０】  以上、本発明の実施の形態について説明したが、本発明は上記の実施の形態に限定されるものではなく、実施の形態に種々変更を加えられることは明白である。
【産業上の利用可能性】
【００４１】  本発明は、２つの特徴を持つ。１．磁力線の電子は宇宙空間、地上、地中、水中のどこにでも昼夜にわたり存在している電子を利用しての発電。２．それら電子を収電しマイナス磁気電子を発生させる。全ての物質の究極は元素であり、元素は原子核のプラス磁気と、周囲電子マイナス磁気で成り立つ。原子核は陽子と中性子で成り立ち、原子核と中性子の数値で元素番号がきまる。その元素番号に等しいマイナス磁気電子を供給すると酸化電位が中性化や還元電位となり、物質の酸化が還元される。ＣＯ２の削減、気功での健康住宅や高層建物、安全食品製造、各種産業建物、橋梁類、各種原材料と完成品の熟成、作物栽培促進、汚染土壌浄化、汚染水質浄化、陸上養殖、海洋牧場への利用。そのた多用途に対応できる。
【図面の簡単な説明】
【００４２】
【図１】電気の磁気と電荷の説明図と原子核＋磁気と−磁気電子との磁気発生の説明図。
【図２】推測による、各種元素の、陽イオン図、電気的中性図、陰イオン図。
【図３】地球の磁力線発生メカニズムとプラス磁気マイナス磁気発生のメカニズ説明図。
【図４】磁力線電子収集の複数電子アンテナ図。
【図５】各種導電線の説明図。
【図６】各種マイナス磁気電子発生の磁石類の説明図。
【図７】各種磁石類の断面図。
【図８】発電パネル説明図。
【図９】プラス地磁気の水と電子アンテナによるマイナス磁気電子供給水の説明図。
【図１０】プラス地磁気の水と直流電流のマイナス磁気電子供給水の説明図。
【図１１】水道水の陰イオン化するマイナス磁気電子供給システム図。
【図１２】エンジンや燃焼炉排出のＣＯ２分解処理のマイナス磁気電子供給システム図。
【図１３】燃焼炉排出のＣＯ２分解処理のマイナス磁気電子供給システム図。
【図１４】化学品や各種プラント類にマイナス磁気電子供給システム図。
【図１５】サイロや穀物タワーにマイナス磁気電子供給システム図。
【図１６】各種乗り物本体と燃焼機器にマイナス磁気電子供給システム説明図。
【図１７】航空機本体と燃焼機器にマイナス磁気電子供給システム説明図。
【図１８】船舶類本体と燃焼機器にマイナス磁気電子供給システム説明図。
【図１９】摂取食品による体内の陽イオンと陰イオン化と体表面の電磁気の相関図。
【図２０】新築や既存建物の気功建物化へのマイナス磁気電子供給説明図。
【図２１】高層の新築や既存建物の気功建物へのマイナス磁気電子供給説明図。
【図２２】冷凍や冷蔵庫、食品棚やベッドにマイナス磁気電子供給説明図。
【図２３】園芸ハウスにマイナス磁気電子供給システム説明図。
【図２４】各種建物にマイナス磁気電子供給システム説明図。
【図２５】土壌浄化、原料熟成、廃水浄化、水産養殖にマイナス磁気電子供給説明図。
【符号の説明】
【００４３】  １．原子核
２．電子
３．中性
４．電子アンテナ
５．磁力線
６．マイナス磁気電子
７．陽イオン化
８．陰イオン化
９．導電箔・板
１０．導電線
１１．端子ケーブル
１２．マイナス棒磁石
１３．プラス棒磁石
１４．磁石カバー付き
１５．磁石カバー無し
１６．直流アダプター
１７．アース
１８．アンテナユニット
１９．絶縁材
２０．発電ボビン
２１．遠赤外線放射物質
２２．パイプ通水・通気
２３．パネルフレーム
２４．パネル
２５．燃焼炉や排気搭
２６．エンジン・ボイラー
２７．水タンク
２８．プラント類
２９．サイロ・穀物タワー
【図１】
2010088281.tif 000003
【図２】
2010088281.tif 000004
【図３】
2010088281.tif 000005
【図４】
2010088281.tif 000006
【図５】
2010088281.tif 000007
【図６】
2010088281.tif 000008
【図７】
2010088281.tif 000009
【図８】
2010088281.tif 000010
【図９】
2010088281.tif 000011
【図１０】
2010088281.tif 000012
【図１１】
2010088281.tif 000013
【図１２】
2010088281.tif 000014
【図１３】
2010088281.tif 000015
【図１４】
2010088281.tif 000016
【図１５】
2010088281.tif 000017
【図１６】
2010088281.tif 000018
【図１７】
2010088281.tif 000019
【図１８】
2010088281.tif 000020
【図１９】
2010088281.tif 000021
【図２０】
2010088281.tif 000022
【図２１】
2010088281.tif 000023
【図２２】
2010088281.tif 000024
【図２３】
2010088281.tif 000025
【図２４】
2010088281.tif 000026
【図２５】
2010088281.tif 000027